(57)【要約】【課題】広帯域において感度良く受信するとともに、高感度で受信する狭帯域を変化させること。【解決手段】無線部１０５は、アンテナ１０１により受信した信号の復調処理またはアンテナ１０１により送信する信号の変調処理を行う。整合回路１０３−１〜１０３−ｎは、アンテナ１０１と無線部１０５との間に接続され、アンテナ１０１のインピーダンスと無線部１０５のインピーダンスとが複素共役の関係を有するように整合するとともに、整合を行う複数の異なる周波数帯毎に複数設けられる。【選択図】図１
2011015345.tif 000002
【特許請求の範囲】
【請求項１】
アンテナと、
前記アンテナにより受信した信号の復調処理または前記アンテナにより送信する信号の変調処理を行う無線手段と、
前記アンテナと前記無線手段との間に接続され、前記アンテナのインピーダンスと前記無線手段のインピーダンスとが複素共役の関係を有するように整合するとともに、前記整合を行う複数の異なる周波数帯毎に複数設けられる整合回路と、
を具備する携帯無線装置。
【請求項２】
前記整合回路により整合した信号を増幅する増幅手段をさらに具備し、
前記無線手段は、前記増幅手段により増幅した信号の復調処理を行う請求項１記載の携帯無線装置。
【請求項３】
前記整合回路は、前記アンテナにより受信した複数の無線システムの信号または前記アンテナにより送信する複数の無線システムの信号の前記整合を行う請求項１記載の携帯無線装置。
【請求項４】
前記整合回路により前記整合を行った前記複数の無線システムの信号のうち、一部の無線システムの信号を増幅する増幅手段をさらに具備し、
前記無線手段は、前記増幅手段により増幅した前記一部の無線システムの信号の復調処理を行う請求項３記載の携帯無線装置。
【請求項５】
前記整合回路は、前記整合を行う周波数帯を変更可能である請求項１記載の携帯無線装置。
【請求項６】
前記無線手段は、復調処理のみを行う請求項１記載の携帯無線装置。
【請求項７】
前記アンテナは、４分の１波長以下のアンテナ素子を有する請求項１記載の携帯無線装置。
【請求項８】
複数の前記整合回路のうち、前記アンテナにより受信した信号または前記アンテナにより送信する信号の前記整合を行う整合回路を選択する選択手段をさらに具備し、
前記整合回路は、前記選択手段により選択された際に前記整合を行う請求項１記載の携帯無線装置。
【請求項９】
前記選択手段は、前記アンテナにより受信した信号の周波数における整合損失が最小になる前記整合回路を選択する請求項８記載の携帯無線装置。
【請求項１０】
前記アンテナは、ディジタルテレビ放送の複数のチャネルの信号を受信し、
前記選択手段は、前記アンテナにより受信した特定のチャネルの信号の整合損失が前記特定のチャネル以外のチャネルの信号の整合損失よりも小さく、かつ前記アンテナにより受信した前記複数のチャネルの信号毎の整合損失の合計が最小になる前記整合回路を選択する請求項８記載の携帯無線装置。
【請求項１１】
前記整合回路は、回路を開閉する切替部を有し、前記切替部を閉じて前記整合を行う請求項１記載の携帯無線装置。
【請求項１２】
前記アンテナにより受信した信号の周波数における整合損失が最小の前記整合回路において前記切替部を閉じて前記整合を行う請求項１１記載の携帯無線装置。
【請求項１３】
前記アンテナは、ディジタルテレビ放送の複数のチャネルの信号を受信し、
前記アンテナにより受信した特定のチャネルの信号の整合損失が前記特定のチャネル以外のチャネルの信号の整合損失よりも小さく、かつ前記アンテナにより受信した前記複数のチャネルの信号毎の整合損失の合計が最小になる前記整合回路において前記切替部を閉じて前記整合を行う請求項１１記載の携帯無線装置。
【発明の詳細な説明】
【技術分野】
【０００１】
本発明は、携帯無線装置に関し、特に広帯域において整合が取れるとともに、狭帯域において整合が取れる周波数を可変にする携帯無線装置に関する。
【背景技術】
【０００２】
従来、５０Ωの特性インピーダンスを整合する整合回路を複数設け、複数の整合回路を切り替えることにより広帯域に適合させる携帯無線装置が知られている（例えば、特許文献１）。特許文献１によれば、ダイオードスイッチを用いて、２種類の整合回路と１つのアンテナ素子との接続を切り替えることにより、２種類の周波数特性の整合状態を得て、広帯域の無線システムに対応させている。また、特許文献１では、アンテナと無線部とを５０Ωの特性インピーダンスで接続することを条件にしている。
【０００３】
また、従来、アンテナのインピーダンスとアンプの入力インピーダンスとが複素共役の関係になるように整合を行う携帯無線端末が知られている（例えば、特許文献２）。特許文献２によれば、アンテナとトランジスタとの間に並列に接地接続するインピーダンス変換回路を設けることにより、広帯域において整合可能にしている。
【先行技術文献】
【特許文献】
【０００４】
【特許文献１】特開２００７−３２５１４７号公報
【特許文献２】特開２００７−２９５４５９号公報
【発明の概要】
【発明が解決しようとする課題】
【０００５】
しかしながら、特許文献１においては、５０Ωの特性インピーダンス整合を行う複数の整合回路を切り替えて使用するので、各整合回路により整合する周波数は狭帯域である。従って、特許文献１では、広帯域をカバーするには整合回路の数を増やす必要があるとともに、広帯域特性をアンテナ素子で得なければならないという問題がある。また、特許文献１においては、搭載できる整合回路の数の限界等により整合の得られない周波数が存在する場合には、整合の得られない周波数を使用する無線システムを動作させることができないという問題がある。また、特許文献２においては、整合を得られる周波数を変更することができないので、整合損失の少ない周波数または多い周波数が変化する場合に対応することができないという問題がある。
【０００６】
本発明の目的は、広帯域において感度良く受信することができるとともに、高感度で受信する狭帯域を変化させることができる携帯無線装置を提供することである。
【課題を解決するための手段】
【０００７】
本発明の携帯無線装置は、アンテナと、前記アンテナにより受信した信号の復調処理または前記アンテナにより送信する信号の変調処理を行う無線手段と、前記アンテナと前記無線手段との間に接続され、前記アンテナのインピーダンスと前記無線手段のインピーダンスとが複素共役の関係を有するように整合するとともに、前記整合を行う複数の異なる周波数帯毎に複数設けられる整合回路と、を具備する構成を採る。
【発明の効果】
【０００８】
本発明によれば、広帯域において感度良く受信することができるとともに、高感度で受信する狭帯域を変化させることができる。
【図面の簡単な説明】
【０００９】
【図１】本発明の実施の形態１に係る携帯無線装置の構成を示すブロック図
【図２】本発明の実施の形態１に係る整合回路の構成の第１の例を示すブロック図
【図３】本発明の実施の形態１に係る整合回路の構成の第２の例を示すブロック図
【図４】本発明の実施の形態１に係る整合回路の構成の第３の例を示すブロック図
【図５】本発明の実施の形態１に係る整合回路の構成の第４の例を示すブロック図
【図６】本発明の実施の形態１に係る整合回路の構成の第５の例を示すブロック図
【図７】本発明の実施の形態１に係る携帯無線装置の動作を示す図
【図８】本発明の実施の形態１に係るスミスチャートにおいて複素共役の関係が得られる整合を説明する図
【図９】従来の５０Ωの特性インピーダンスを整合する整合回路を複数設けた場合の周波数と損失との関係を示す図
【図１０】本発明の実施の形態１に係る周波数と損失との関係を示す図
【図１１】従来の２つのチャネルのディジタルテレビ放送を視聴する際の不整合損失と周波数との関係を示す図
【図１２】本発明の実施の形態１に係る２つのチャネルのディジタルテレビ放送を視聴する際の不整合損失と周波数との関係を示す図
【図１３】従来の整合回路の個数と整合が得られる帯域との関係を示す図
【図１４】本発明の実施の形態１に係る整合回路の個数と整合が得られる帯域との関係を示す図
【図１５】本発明の実施の形態２に係る携帯無線装置の構成を示すブロック図
【図１６】本発明の実施の形態３に係る携帯無線装置の構成を示すブロック図
【図１７】本発明の実施の形態３に係る受信可能な第１の無線システム及び第２の無線システムにおける周波数と損失との関係を示す図
【図１８】本発明の実施の形態４に係る携帯無線装置の構成を示すブロック図
【図１９】本発明の実施の形態４に係るスミスチャートにおける第１の無線システムと第２の無線システムとのインピーダンス整合点の変化を示す図
【図２０】本発明の実施の形態５に係る携帯無線装置の構成を示すブロック図
【図２１】本発明の実施の形態５に係る整合回路の構成を示すブロック図
【図２２】本発明の実施の形態６に係る携帯無線装置の構成を示すブロック図
【図２３】本発明の実施の形態６に係る整合回路の構成の第１の例を示すブロック図
【図２４】本発明の実施の形態６に係る整合回路の構成の第２の例を示すブロック図
【図２５】本発明の実施の形態６に係る整合回路の構成の第３の例を示すブロック図
【図２６】本発明の実施の形態６に係る整合回路の構成の第４の例を示すブロック図
【図２７】本発明の実施の形態６に係る整合回路の構成の第５の例を示すブロック図
【発明を実施するための形態】
【００１０】
以下、本発明の実施の形態について、図面を参照して詳細に説明する。
【００１１】
（実施の形態１）
図１は、本発明の実施の形態１に係る携帯無線装置１００の構成を示すブロック図である。
【００１２】
携帯無線装置１００は、アンテナ１０１と、スイッチ部１０２と、整合回路１０３−１〜１０３−ｎ（ｎは任意の自然数）と、スイッチ部１０４と、無線部１０５とから主に構成される。以下に、各構成について、詳細に説明する。
【００１３】
アンテナ１０１は、例えばモノポールアンテナとして機能し、４分の１波長以下の電気長のアンテナ素子を有する。また、アンテナ１０１は、所定の無線システムの信号を受信してスイッチ部１０２へ出力する。また、アンテナ１０１は、スイッチ部１０２から入力した所定の無線システムの信号を送信する。
【００１４】
スイッチ部１０２は、アンテナ１０１から入力した信号を所定の整合回路１０３−１〜１０３−ｎへ出力するように切り替える。また、スイッチ部１０２は、何れかの整合回路１０３−１〜１０３−ｎを選択し、選択した整合回路１０３−１〜１０３−ｎから入力した信号をアンテナ１０１へ出力するように切り替える。
【００１５】
整合回路１０３−１〜１０３−ｎは、スイッチ部１０２とスイッチ部１０４との間に直列に接続され、アンテナ１０１と無線部１０５とのインピーダンスを整合する。具体的には、整合回路１０３−１〜１０３−ｎは、アンテナ１０１のインピーダンスと無線部１０５の入力インピーダンスとが複素共役の関係を有するように整合する。この際、各整合回路１０３−１〜１０３−ｎは、各々異なる周波数において複素共役の関係が得られるように整合を行う。従って、整合回路１０３−１〜１０３−ｎを切り替えることにより、複素共役の関係が得られる周波数を可変にすることができる。また、整合回路１０３−１〜１０３−ｎは、スイッチ部１０２から入力した信号のインピーダンスを変換してスイッチ部１０４へ出力する。同様に、整合回路１０３−１〜１０３−ｎは、アンテナ１０１のインピーダンスと無線部１０５の出力インピーダンスとが複素共役の関係を有するように整合し、スイッチ部１０４から入力した信号のインピーダンスを変換してスイッチ部１０２へ出力する。
【００１６】
スイッチ部１０４は、何れかの整合回路１０３−１〜１０３−ｎを選択し、選択した整合回路１０３−１〜１０３−ｎから入力した信号を無線部１０５へ出力するように切り替える。また、スイッチ部１０４は、無線部１０５から入力した信号を所定の整合回路１０３−１〜１０３−ｎへ出力するように切り替える。また、スイッチ部１０４は、スイッチ部１０２において選択する整合回路１０３−１〜１０３−ｎと同一の整合回路１０３−１〜１０３−ｎを選択する。なお、整合回路１０３−１〜１０３−ｎを選択する方法については後述する。
【００１７】
無線部１０５は、スイッチ部１０４から入力した信号を復調処理して所定の周波数に重畳されたデータを取得する。また、無線部１０５は、所定の周波数にデータを重畳する変調処理を行って、変調した信号をスイッチ部１０４へ出力する。この際、無線部１０５において、スイッチ部１０４側の入力インピーダンス及び出力インピーダンスは複素数のインピーダンスであるとともに高インピーダンスである。
【００１８】
次に、整合回路１０３−１〜１０３−ｎの構成について説明する。なお、以下の整合回路１０３−１〜１０３−ｎの構成の説明においては、整合回路１０３−１の構成のみについて説明するが、整合回路１０３−２〜１０３−ｎの構成は整合回路１０３−１の構成と同一であるので、整合回路１０３−２〜１０３−ｎの構成の説明を省略する。
【００１９】
図２は、整合回路１０３−１の構成の第１の例を示すブロック図である。
【００２０】
図２より、整合回路１０３−１は、素子２０１と、素子２０２と、素子２０３とから構成される。素子２０１〜２０３は、インダクタまたはキャパシタである。
【００２１】
素子２０１は、一端がスイッチ部１０２に接続されるとともに他端がスイッチ部１０４に接続される。
【００２２】
素子２０２は、スイッチ部１０２と素子２０１との間に並列に接地接続される。
【００２３】
素子２０３は、素子２０１とスイッチ部１０４との間に並列に接地接続される。
【００２４】
図３は、整合回路１０３−１の構成の第２の例を示すブロック図である。
【００２５】
図３より、整合回路１０３−１は、素子３０１と素子３０２とから構成される。素子３０１、３０２は、インダクタまたはキャパシタである。
【００２６】
素子３０１は、一端がスイッチ部１０２に接続されるとともに他端がスイッチ部１０４に接続される。
【００２７】
素子３０２は、スイッチ部１０２と素子３０１との間に並列に接地接続される。
【００２８】
図４は、整合回路１０３−１の構成の第３の例を示すブロック図である。
【００２９】
図４より、整合回路１０３−１は、素子４０１と素子４０２とから構成される。素子４０１、４０２は、インダクタまたはキャパシタである。
【００３０】
素子４０１は、一端がスイッチ部１０２に接続されるとともに他端がスイッチ部１０４に接続される。
【００３１】
素子４０２は、素子４０１とスイッチ部１０４との間に並列に接地接続される。
【００３２】
図５は、整合回路１０３−１の構成の第４の例を示すブロック図である。
【００３３】
図５より、整合回路１０３−１は、素子５０１と素子５０２とから構成される。素子５０１、５０２は、インダクタまたはキャパシタである。
【００３４】
素子５０１は、スイッチ部１０２とスイッチ部１０４との間に並列に接地接続される。
【００３５】
素子５０２は、スイッチ部１０２とスイッチ部１０４との間に並列に接地接続されるとともに、素子５０１と並列に接地接続される。
【００３６】
図６は、整合回路１０３−１の構成の第５の例を示すブロック図である。
【００３７】
図６より、整合回路１０３−１は、素子６０１から構成される。素子６０１は、インダクタまたはキャパシタである。
【００３８】
素子６０１は、スイッチ部１０２とスイッチ部１０４との間に並列に接地接続される。以上で、携帯無線装置１００の構成の説明を終える。
【００３９】
次に、携帯無線装置１００の動作について、図７を用いて説明する。図７は、携帯無線装置１００の動作を示す図である。なお、図７は、ディジタルテレビ放送を受信する場合の携帯無線装置１００の動作を示すものである。
【００４０】
携帯無線装置１００は、ディジタルテレビ放送の全てのチャネルにおいて、各整合回路１０３−１〜１０３−ｎを用いた場合の整合損失を記憶するテーブルを予め保持している。
【００４１】
最初に、携帯無線装置１００は、ディジタルテレビ放送受信の動作を開始する（ステップＳＴ７０１）。
【００４２】
次に、スイッチ部１０２及びスイッチ部１０４は、ディジタルテレビ放送の各チャネルの全帯域において、平均的な整合損失が最小となる整合回路１０３−１〜１０３−ｎと接続するように切り替える（ステップＳＴ７０２）。
【００４３】
次に、１チャネルのみの視聴の場合には（ステップＳＴ７０３）、スイッチ部１０２及びスイッチ部１０４は、視聴チャネルの周波数において、整合損失の合計が最小の整合回路１０３−１〜１０３−ｎと接続するように切り替える（ステップＳＴ７０４）。
【００４４】
次に、視聴を終了した場合には（ステップＳＴ７０５）、スイッチ部１０２及びスイッチ部１０４は、ディジタルテレビ放送の各チャネルの全帯域において、平均的な整合損失が最小となる整合回路１０３−１〜１０３−ｎと接続するように切り替える（ステップＳＴ７０６）。
【００４５】
また、２チャネル視聴の場合には（ステップＳＴ７０７）、スイッチ部１０２及びスイッチ部１０４は、メインに視聴しているチャネルの周波数における整合損失が、それ以外の視聴しているチャネルの周波数における整合損失よりも小さく、かつ両方のチャネルの整合損失の合計が最小の整合回路１０３−１〜１０３−ｎと接続するように切り替える（ステップＳＴ７０８）。
【００４６】
次に、視聴を終了した場合には（ステップＳＴ７０９）、スイッチ部１０２及びスイッチ部１０４は、ディジタルテレビ放送の各チャネルの全帯域において、平均的な整合損失が最小となる整合回路１０３−１〜１０３−ｎと接続するように切り替える（ステップＳＴ７０６）。
【００４７】
また、ステップＳＴ７０６において、ディジタルテレビ放送の各チャネルの全帯域において、平均的な整合損失が最小となる整合回路１０３−１〜１０３−ｎと接続するように切り替えた後に、携帯無線装置１００は、ディジタルテレビ放送の動作を終了する（ステップＳＴ７１０）。以上で、携帯無線装置１００の動作の説明を終える。
【００４８】
図８は、スミスチャートにおいて複素共役の関係が得られる整合を説明する図である。複素共役の関係が得られる整合とは、５０Ωの特性インピーダンスに対して、ＶＳＷＲが５以上になるインピーダンスの範囲（図８の斜線の範囲ｒ１）で、所望周波数において、無線部１０５の入力インピーダンスまたは出力インピーダンスと、アンテナ１０１のインピーダンスとの整合点が存在することを意味する。
【００４９】
次に、従来と比べた本実施の形態の利点について、図９〜図１４を用いて説明する。図９は、従来の５０Ωの特性インピーダンスを整合する整合回路を複数設けた場合の周波数と損失との関係を示す図である。図１０は、本実施の形態の周波数と損失との関係を示す図である。図１１は、従来の２つのチャネルのディジタルテレビ放送を視聴する際の不整合損失と周波数との関係を示す図である。図１２は、本実施の形態の２つのチャネルのディジタルテレビ放送を視聴する際の不整合損失と周波数との関係を示す図である。図１３は、従来の整合回路の個数と整合が得られる帯域との関係を示す図である。図１４は、本実施の形態の整合回路１０３−１〜１０３−ｎの個数と整合が得られる帯域との関係を示す図である。
【００５０】
従来は、図９に示すように、周波数特性を変えることができなかったので、整合損失の多い周波数及び少ない周波数に適宜対応することは困難であった。一方、本実施の形態は、図１０に示すように、広帯域において整合を得ることができるとともに、整合を得ることができる少なくとも１つの狭帯域の周波数を、周波数ｆ１から周波数ｆ２、または周波数ｆ２から周波数ｆ１に変えることができる。
【００５１】
また、従来は、図１１に示すように、Ｘチャネル及びＹチャネルの整合が得られる周波数は狭帯域である。従って、従来は、アンテナ周辺に物体が近接等してインピーダンスが変化することにより不整合状態になった場合に、感度が大幅に劣化する。一方、本実施の形態は、図１２に示すように、Ｘチャネル及びＹチャネルの整合が得られる周波数は広帯域である。従って、本実施の形態では、アンテナ周辺に物体が近接等した場合に、感度が大幅に劣化することを防ぐことができる。また、本実施の形態は、ディジタルテレビ放送の全帯域について、所定の整合損失（感度）を維持することができる。これにより、全てのチャネルの放送を表示する場合、チャネル選択の際等においてチャネルを短時間の間に連続して切り替えるザッピングを行う場合、全てのチャネルをスキャンする場合、または２つのチューナを同時に動作させる場合における極端な感度劣化を防ぐことができる。また、本実施の形態において、メインで視聴しているチャネルの周波数に対して整合のピークを合わせる周波数チューニングを行うことにより、メインで視聴しているチャネルとディジタルテレビ放送の全帯域とに対して、最良な感度配分を行うことができる。
【００５２】
また、従来は、図１３に示すように、ディジタルテレビ放送の全帯域である４７０ＭＨｚ〜７７０ＭＨｚにおいて、不整合損失を１０ｄＢ以下にする場合には、（１）〜（７）の整合を得るために７つの整合回路が必要である。一方、本実施の形態は、図１４に示すように、同様の条件において、（１）〜（３）の整合を得るために３つの整合回路を設けるだけで良い。
【００５３】
このように、本実施の形態によれば、複素共役の関係を有するように整合する整合回路を複数設けるとともに、各整合回路において整合可能な周波数を異ならせることにより、広帯域において感度良く受信することができるとともに、高感度で受信する狭帯域を変化させることができる。従って、本実施の形態によれば、ディジタルテレビ放送等の複数のチャネルの信号を受信する場合に、全てのチャネルの信号を感度良く受信することができるとともに、メインで視聴するチャネルの信号を高感度で受信することができる。また、本実施の形態によれば、広帯域において整合を取る場合において、従来よりも整合回路の数を減らすことができるので、製造コストを低減することができるとともに、携帯無線装置を小型化及び薄型化することができる。
【００５４】
（実施の形態２）
図１５は、本発明の実施の形態２に係る携帯無線装置１５００の構成を示すブロック図である。
【００５５】
携帯無線装置１５００は、アンテナ１５０１と、スイッチ部１５０２と、整合回路１５０３−１〜１５０３−ｎと、スイッチ部１５０４と、アンプ１５０５と、無線部１５０６とから主に構成される。携帯無線装置１５００は、アンプ１５０５を設けることにより、受信専用として機能する。以下に、各構成について、詳細に説明する。
【００５６】
アンテナ１５０１は、例えばモノポールアンテナとして機能し、４分の１波長以下の電気長のアンテナ素子を有する。また、アンテナ１５０１は、所定の無線システムの信号を受信してスイッチ部１５０２へ出力する。
【００５７】
スイッチ部１５０２は、アンテナ１５０１から入力した信号を所定の整合回路１５０３−１〜１５０３−ｎへ出力するように切り替える。
【００５８】
整合回路１５０３−１〜１５０３−ｎは、スイッチ部１５０２とスイッチ部１５０４との間に直列に接続され、アンテナ１５０１とアンプ１５０５とのインピーダンスを整合する。具体的には、整合回路１５０３−１〜１５０３−ｎは、アンテナ１５０１のインピーダンスとアンプ１５０５の入力インピーダンスとが複素共役の関係を有するように整合する。この際、各整合回路１５０３−１〜１５０３−ｎは、各々異なる周波数において複素共役の関係が得られるように整合を行う。従って、整合回路１５０３−１〜１５０３−ｎを切り替えることにより、複素共役の関係が得られる周波数を可変にすることができる。そして、整合回路１５０３−１〜１５０３−ｎは、スイッチ部１５０２から入力した信号のインピーダンスを変換してスイッチ部１５０４へ出力する。
【００５９】
スイッチ部１５０４は、何れかの整合回路１５０３−１〜１５０３−ｎを選択し、選択した整合回路１５０３−１〜１５０３−ｎから入力した信号をアンプ１５０５へ出力するように切り替える。また、スイッチ部１５０４は、スイッチ部１５０２において選択する整合回路１５０３−１〜１５０３−ｎと同一の整合回路１５０３−１〜１５０３−ｎを選択する。
【００６０】
アンプ１５０５は、スイッチ部１５０４から入力した信号を増幅して無線部１５０６へ出力する。この際、アンプ１５０５において、入力インピーダンスは複素数のインピーダンスであり、出力インピーダンスは特性インピーダンスである。また、アンプ１５０５は、携帯無線装置１５００において使用する周波数で、高利得及ぶ低雑音指数（低ＮＦ）であることが望ましい。
【００６１】
無線部１５０６は、アンプ１５０５から入力した信号を復調して所定の周波数に重畳されたデータを取得する。以上で、携帯無線装置１５００の構成の説明を終える。
【００６２】
なお、携帯無線装置１５００の動作は図７と同一であるとともに、従来と比較した本実施の形態の利点は図９〜図１４において説明したものと同一であるので、それらの説明を省略する。
【００６３】
このように、本実施の形態によれば、受信専用の携帯無線装置において、複素共役の関係を有するように整合する整合回路を複数設けるとともに、各整合回路において整合可能な周波数を異ならせることにより、広帯域において感度良く受信することができるとともに、所望の特定の狭帯域が変化する場合において、感度良く受信することができる。また、本実施の形態によれば、広帯域において整合を取る場合において、従来よりも整合回路の数を減らすことができるので、製造コストを低減することができるとともに、携帯無線装置を小型化及び薄型化することができる。
【００６４】
（実施の形態３）
図１６は、本発明の実施の形態３に係る携帯無線装置１６００の構成を示すブロック図である。
【００６５】
図１６に示す携帯無線装置１６００は、図１５示す実施の形態２に係る携帯無線装置１５００に対して、無線部１５０６を除き、第１の無線部１６０１及び第２の無線部１６０２を追加する。なお、図１６において、図１５と同一構成である部分には同一の符号を付してその説明を省略する。
【００６６】
携帯無線装置１６００は、アンテナ１５０１と、スイッチ部１５０２と、整合回路１５０３−１〜１５０３−ｎと、スイッチ部１５０４と、アンプ１５０５と、第１の無線部１６０１と、第２の無線部１６０２とから主に構成される。携帯無線装置１６００は、アンプ１５０５を設けることにより、受信専用として機能する。以下に、本実施の形態において、上記の実施の形態２と異なる構成について、詳細に説明する。
【００６７】
アンプ１５０５は、スイッチ部１５０４から入力した信号を増幅して第１の無線部１６０１及び第２の無線部１６０２へ出力する。この際、アンプ１５０５において、入力インピーダンスは複素数のインピーダンスであり、出力インピーダンスは特性インピーダンスである。また、アンプ１５０５は、携帯無線装置１６００において使用する周波数で、高利得及ぶ低雑音指数（低ＮＦ）であることが望ましい。
【００６８】
第１の無線部１６０１は、アンプ１５０５から入力した信号を復調して第１の無線システムのデータを取得する。例えば、第１の無線部１６０１は、第１の無線システムとしてのＧＰＳシステムの信号を復調して位置データを取得する。
【００６９】
第２の無線部１６０２は、アンプ１５０５から入力した信号を復調して、第１の無線システムとは異なる第２の無線システムのデータを取得する。例えば、第２の無線部１６０２は、第２の無線システムとしてのディジタルテレビ放送の信号を復調してディジタルテレビ放送のデータを取得する。
【００７０】
図１７は、携帯無線装置１６００において受信可能な第１の無線システム及び第２の無線システムにおける周波数と損失との関係を示す図である。なお、図１７においては、第１の無線システムをＧＰＳシステムとし、第２の無線システムをディジタルテレビ放送（ＤＴＶ）とする場合を例に説明する。
【００７１】
図１７に示すように、携帯無線装置１６００は、ＧＰＳシステムで使用する周波数ｆ１０とディジタルテレビ放送で使用する周波数ｆ２０の双方を含む広帯域で整合を取ることができるとともに、ディジタルテレビ放送の整合を取ることができる帯域を可変にすることができる。
【００７２】
なお、携帯無線装置１６００の動作は図７と同一であるとともに、従来と比較した本実施の形態の利点は図９〜図１４において説明したものと同一であるので、それらの説明を省略する。
【００７３】
このように、本実施の形態によれば、複数の無線システムを使用可能な携帯無線装置において、複素共役の関係を有するように整合する整合回路を複数設けるとともに、各整合回路において整合可能な周波数を異ならせることにより、広帯域において感度良く受信することができるとともに、所望の特定の狭帯域が変化する場合において、感度良く受信することができる。また、本実施の形態によれば、広帯域において整合を取る場合において、従来よりも整合回路の数を減らすことができるので、製造コストを低減することができるとともに、携帯無線装置を小型化及び薄型化することができる。
【００７４】
なお、本実施の形態において、アンプを設けることにより受信専用にしたが、本発明はこれに限らず、アンプを削除することにより、送信と受信の双方を行えるようにしても良い。
【００７５】
（実施の形態４）
図１８は、本発明の実施の形態４に係る携帯無線装置１８００の構成を示すブロック図である。
【００７６】
携帯無線装置１８００は、アンテナ１８０１と、スイッチ部１８０２と、整合回路１８０３−１〜１８０３−ｎと、スイッチ部１８０４と、アンプ１８０５と、第１の無線部１８０６と、第２の無線部１８０７とから主に構成される。以下に、各構成について、詳細に説明する。
【００７７】
アンテナ１８０１は、例えばモノポールアンテナとして機能し、４分の１波長以下の電気長のアンテナ素子を有する。また、アンテナ１８０１は、第１の無線システム及び第２の無線システムの信号を受信してスイッチ部１８０２へ出力する。また、アンテナ１８０１は、スイッチ部１８０２から入力した第２の無線システムの信号を送信する。
【００７８】
スイッチ部１８０２は、アンテナ１８０１から入力した信号を所定の整合回路１８０３−１〜１８０３−ｎへ出力するように切り替える。また、スイッチ部１８０２は、何れかの整合回路１８０３−１〜１８０３−ｎを選択し、選択した整合回路１８０３−１〜１８０３−ｎから入力した信号をアンテナ１８０１へ出力するように切り替える。
【００７９】
整合回路１８０３−１〜１８０３−ｎは、スイッチ部１８０２とスイッチ部１８０４との間に直列に接続され、アンテナ１８０１とアンプ１８０５とのインピーダンス、及びアンテナ１８０１と第２の無線部１８０７とのインピーダンスを整合する。具体的には、整合回路１８０３−１〜１８０３−ｎは、アンテナ１８０１のインピーダンスとアンプ１８０５の入力インピーダンスとが複素共役の関係を有するとともに、アンテナ１８０１のインピーダンスと第２の無線部１８０７の入力インピーダンスとが複素共役の関係を有するように整合する。この際、各整合回路１８０３−１〜１８０３−ｎは、各々異なる周波数において複素共役の関係が得られるように整合を行う。従って、整合回路１８０３−１〜１８０３−ｎを切り替えることにより、複素共役の関係が得られる周波数を可変にすることができる。また、整合回路１８０３−１〜１８０３−ｎは、スイッチ部１８０２から入力した信号のインピーダンスを変換してスイッチ部１８０４へ出力する。同様に、整合回路１８０３−１〜１８０３−ｎは、アンテナ１８０１のインピーダンスと第２の無線部１８０７の出力インピーダンスとが複素共役の関係を有するように整合し、スイッチ部１８０４から入力した信号のインピーダンスを変換してスイッチ部１８０２へ出力する。
【００８０】
スイッチ部１８０４は、何れかの整合回路１８０３−１〜１８０３−ｎを選択し、選択した整合回路１８０３−１〜１８０３−ｎから入力した信号をアンプ１８０５及び第２の無線部１８０７へ出力するように切り替える。また、スイッチ部１８０４は、第２の無線部１８０７から入力した信号を所定の整合回路１８０３−１〜１８０３−ｎへ出力するように切り替える。また、スイッチ部１８０４は、スイッチ部１８０２において選択する整合回路１８０３−１〜１８０３−ｎと同一の整合回路１８０３−１〜１８０３−ｎを選択する。
【００８１】
アンプ１８０５は、スイッチ部１８０４から入力した信号を増幅して第１の無線部１８０６へ出力する。この際、アンプ１８０５において、入力インピーダンスは複素数のインピーダンスであり、出力インピーダンスは特性インピーダンスである。また、アンプ１８０５は、携帯無線装置１８００において使用する周波数で、高利得及ぶ低雑音指数（低ＮＦ）であることが望ましい。
【００８２】
第１の無線部１８０６は、アンプ１８０５から入力した信号を復調して第１の無線システムのデータを取得する。例えば、第１の無線部１８０６は、第１の無線システムとしてのディジタルテレビ放送の信号を復調してディジタルテレビ放送のデータを取得する。
【００８３】
第２の無線部１８０７は、スイッチ部１８０４から入力した信号を復調して第２の無線システムのデータを取得する。また、第２の無線部１８０７は、第２の無線システムの周波数にデータを重畳する変調を行って、変調した信号をスイッチ部１８０４へ出力する。この際、第２の無線部１８０７において、スイッチ部１８０４側の入力インピーダンス及び出力インピーダンスは複素数のインピーダンスであるとともに高インピーダンスである。例えば、第２の無線部１８０７は、第２の無線システムとしてのＧＰＳシステムの信号を復調して位置データを取得する。以上で、携帯無線装置１８００の構成の説明を終える。
【００８４】
図１９は、スミスチャートにおける第１の無線システムと第２の無線システムとのインピーダンス整合点の変化を示す図である。
【００８５】
図１９に示すように、第１の無線システムのインピーダンス整合点＃１９０１の変化ｖ１は、第２の無線システムのインピーダンス整合点＃１９０２の変化ｖ２に比べて大きい。
【００８６】
なお、携帯無線装置１８００の動作は図７と同一であるとともに、従来と比較した本実施の形態の利点は図９〜図１４において説明したものと同一であるので、それらの説明を省略する。また、携帯無線装置１８００において受信可能な第１の無線システム及び第２の無線システムにおける周波数と損失との関係を示す図は、図１７と同一であるので、その説明を省略する。
【００８７】
このように、本実施の形態によれば、複数の無線システムを使用可能な携帯無線装置において、複素共役の関係を有するように整合する整合回路を複数設けるとともに、各整合回路において整合可能な周波数を異ならせることにより、広帯域において感度良く受信することができるとともに、所望の特定の狭帯域が変化する場合において、感度良く受信することができる。また、本実施の形態によれば、広帯域において整合を取る場合において、従来よりも整合回路の数を減らすことができるので、製造コストを低減することができるとともに、携帯無線装置を小型化及び薄型化することができる。
【００８８】
なお、本実施の形態において、アンプを設けることにより第１の無線システムについては受信専用にしたが、本発明はこれに限らず、アンプを削除することにより、第１の無線システムについて、送信と受信の双方を行えるようにしても良い。
【００８９】
（実施の形態５）
図２０は、本発明の実施の形態５に係る携帯無線装置２０００の構成を示すブロック図である。
【００９０】
携帯無線装置２０００は、アンテナ２００１と、スイッチ部２００２と、整合回路２００３−１、２００３−２と、スイッチ部２００４と、アンプ２００５と、無線部２００６とから主に構成される。携帯無線装置２０００は、アンプ２００５を設けることにより、受信専用として機能する。以下に、各構成について、詳細に説明する。
【００９１】
アンテナ２００１は、例えばモノポールアンテナとして機能し、４分の１波長以下の電気長のアンテナ素子を有する。また、アンテナ２００１は、所定の無線システムの信号を受信してスイッチ部２００２へ出力する。
【００９２】
スイッチ部２００２は、アンテナ２００１から入力した信号を整合回路２００３−１または２００３−２へ出力するように切り替える。
【００９３】
整合回路２００３−１は、スイッチ部２００２とスイッチ部２００４との間に直列に接続され、アンテナ２００１とアンプ２００５とのインピーダンスを整合する。具体的には、整合回路２００３−１は、アンテナ２００１のインピーダンスとアンプ２００５の入力インピーダンスとが複素共役の関係を有するように整合する。この際、整合回路２００３−１は、整合回路２００３−２とは異なる周波数において複素共役の関係を有するように整合を行う。従って、整合回路２００３−１と整合回路２００３−２とを切り替えることにより、複素共役の関係が得られる周波数を可変にすることができる。また、整合回路２００３−１は、複素共役の関係が得られる周波数を可変にすることができる。そして、整合回路２００３−１は、スイッチ部２００２から入力した信号のインピーダンスを変換してスイッチ部２００４へ出力する。なお、整合回路２００３−１の構成の詳細については後述する。
【００９４】
整合回路２００３−２は、スイッチ部２００２とスイッチ部２００４との間に直列に接続され、アンテナ２００１とアンプ２００５とのインピーダンスを整合する。具体的には、整合回路２００３−２は、アンテナ２００１のインピーダンスとアンプ２００５の入力インピーダンスとが複素共役の関係を有するように整合する。この際、整合回路２００３−２は、整合回路２００３−１とは異なる周波数において複素共役の関係が得られるように整合を行う。従って、整合回路２００３−２を切り替えることにより、複素共役の関係が得られる周波数を可変にすることができる。そして、整合回路２００３−２は、スイッチ部２００２から入力した信号のインピーダンスを変換してスイッチ部２００４へ出力する。
【００９５】
スイッチ部２００４は、整合回路２００３−１または整合回路２００３−２を選択し、選択した整合回路２００３−１または整合回路２００３−２から入力した信号をアンプ２００５へ出力するように切り替える。また、スイッチ部２００４は、スイッチ部２００２において選択する整合回路２００３−１〜２００３−ｎと同一の整合回路２００３−１〜２００３−ｎを選択する。
【００９６】
アンプ２００５は、スイッチ部２００４から入力した信号を増幅して無線部２００６へ出力する。この際、アンプ２００５において、入力インピーダンスは複素数のインピーダンスであり、出力インピーダンスは特性インピーダンスである。また、アンプ２００５は、携帯無線装置２０００において使用する周波数で、高利得及ぶ低雑音指数（低ＮＦ）であることが望ましい。
【００９７】
無線部２００６は、アンプ２００５から入力した信号を復調して所定の周波数に重畳されたデータを取得する。
【００９８】
次に、整合回路２００３−１の構成について、図２１を用いて説明する。図２１は、整合回路２００３−１の構成を示すブロック図である。
【００９９】
図２１より、整合回路２００３−１は、素子２１０１と、素子２１０２と、素子２１０３とから構成される。素子２１０１〜２１０３は、インダクタまたはキャパシタである。
【０１００】
素子２１０１は、一端がスイッチ部２００２に接続されるとともに他端がスイッチ部２００４に接続される。また、素子２１０１は、可変インダクタまたは可変キャパシタ（バリアブルコンデンサまたはバラクタダイオード等）により構成される。
【０１０１】
素子２１０２は、スイッチ部２００２と素子２１０１との間に並列に接地接続される。
【０１０２】
素子２１０３は、素子２１０１とスイッチ部２００４との間に並列に接地接続される。
【０１０３】
なお、携帯無線装置２０００の動作は図７と同一であるとともに、従来と比較した本実施の形態の利点は図９〜図１４において説明したものと同一であるので、それらの説明を省略する。
【０１０４】
このように、本実施の形態によれば、上記の実施の形態１の効果に加えて、少なくとも１つの整合回路により整合を取れる周波数を可変にすることにより、整合回路の数をさらに減らすことができるので、さらに製造コストを低減することができるとともに、さらに小型化及び薄型化することができる。
【０１０５】
なお、本実施の形態において、整合を取れる周波数を可変にする整合回路を１つにしたが、本実施の形態はこれに限らず、複数の整合回路において整合を取れる周波数を可変にしても良い。また、本実施の形態において、整合回路の数を２つにしたが、本実施の形態はこれに限らず、整合回路の数を任意の数にすることができる。
【０１０６】
（実施の形態６）
図２２は、本発明の実施の形態６に係る携帯無線装置２２００の構成を示すブロック図である。
【０１０７】
携帯無線装置２２００は、アンテナ２２０１と、整合回路２２０２−１〜２２０２−ｎと、無線部２２０３とから主に構成される。以下に、各構成について、詳細に説明する。
【０１０８】
アンテナ２２０１は、例えばモノポールアンテナとして機能し、４分の１波長以下の電気長のアンテナ素子を有する。また、アンテナ２２０１は、所定の無線システムの信号を受信して整合回路２２０２−１〜２２０２−ｎへ出力する。また、アンテナ２２０１は、整合回路２２０２−１〜２２０２−ｎから入力した信号を送信する。
【０１０９】
整合回路２２０２−１〜２２０２−ｎは、アンテナ２２０１と無線部２２０３との間に直列に接続され、アンテナ２２０１と無線部２２０３とのインピーダンスを整合する。具体的には、整合回路２２０２−１〜２２０２−ｎは、アンテナ２２０１のインピーダンスと無線部２２０３の入力インピーダンスとが複素共役の関係を有するように整合する。この際、各整合回路２２０２−１〜２２０２−ｎは、各々異なる周波数において複素共役の関係が得られるように、図示しない切替制御部等において、あらかじめ記憶している、例えばディジタルテレビ放送の全てのチャネルにおける各整合回路２２０２−１〜２２０２−ｎの整合損失の情報に基づいて、内部のスイッチにより切り替えて整合を行う。整合回路２２０２−１〜２２０２−ｎを切り替えることにより、複素共役の関係が得られる周波数を可変にすることができる。また、整合回路２２０２−１〜２２０２−ｎは、アンテナ２２０１から入力した信号のインピーダンスを変換して無線部２２０３へ出力する。同様に、整合回路２２０２−１〜２２０２−ｎは、アンテナ２２０１のインピーダンスと無線部２２０３の出力インピーダンスとが複素共役の関係を有するように整合し、無線部２２０３から入力した信号のインピーダンスを変換してアンテナ２２０１へ出力する。なお、整合回路２２０２−１〜２２０２−ｎの構成の詳細については後述する。
【０１１０】
無線部２２０３は、整合回路２２０２−１〜２２０２−ｎから入力した信号を復調して所定の周波数に重畳されたデータを取得する。また、無線部２２０３は、所定の周波数にデータを重畳する変調を行って、変調した信号を整合回路２２０２−１〜２２０２−ｎへ出力する。この際、無線部２２０３において、整合回路２２０２−１〜２２０２−ｎ側の入力インピーダンス及び出力インピーダンスは複素数のインピーダンスであるとともに高インピーダンスである。
【０１１１】
次に、整合回路２２０２−１〜２２０２−ｎの構成について説明する。なお、以下の整合回路２２０２−１〜２２０２−ｎの構成の説明においては、整合回路２２０２−１の構成のみについて説明するが、整合回路２２０２−２〜２２０２−ｎの構成は整合回路２２０２−１の構成と同一であるので、その説明を省略する。
【０１１２】
図２３は、整合回路２２０２−１の構成の第１の例を示すブロック図である。
【０１１３】
図２３より、整合回路２２０２−１は、素子２３０１と、素子２３０２と、素子２３０３と、スイッチ部２３０４と、スイッチ部２３０５とから構成される。素子２３０１〜２３０３は、インダクタまたはキャパシタである。
【０１１４】
素子２３０１は、一端がアンテナ２２０１に接続されるとともに他端が無線部２２０３に接続される。
【０１１５】
素子２３０２は、アンテナ２２０１と素子２３０１との間に並列に接地接続される。
【０１１６】
素子２３０３は、素子２３０１と無線部２２０３との間に並列に接地接続される。
【０１１７】
スイッチ部２３０４は、アンテナ２２０１及び素子２３０１と素子２３０２との間の電気的接続を開閉する。
【０１１８】
スイッチ部２３０５は、素子２３０１及び無線部２２０３と素子２３０３との電気的接続を開閉する。
【０１１９】
図２４は、整合回路２２０２−１の構成の第２の例を示すブロック図である。
【０１２０】
図２４より、整合回路２２０２−１は、素子２４０１と、素子２４０２と、スイッチ部２４０３とから構成される。素子２４０１及び素子２４０２は、インダクタまたはキャパシタである。
【０１２１】
素子２４０１は、一端がアンテナ２２０１に接続されるとともに他端が無線部２２０３に接続される。
【０１２２】
素子２４０２は、アンテナ２２０１と素子２４０１との間に並列に接地接続される。
【０１２３】
スイッチ部２４０３は、アンテナ２２０１及び素子２４０１と素子２４０２との電気的接続を開閉する。具体的には、スイッチ部２４０３は、整合回路２２０２−１により整合を行う場合にはオンし、整合回路２２０２−１により整合を行わない場合にはオフする。
【０１２４】
図２５は、整合回路２２０２−１の構成の第３の例を示すブロック図である。
【０１２５】
図２５より、整合回路２２０２−１は、素子２５０１と、素子２５０２と、スイッチ部２５０３とから構成される。素子２５０１及び素子２５０２は、インダクタまたはキャパシタである。
【０１２６】
素子２５０１は、一端がアンテナ２２０１に接続されるとともに他端が無線部２２０３に接続される。
【０１２７】
素子２５０２は、素子２５０１と無線部２２０３との間に並列に接地接続される。
【０１２８】
スイッチ部２５０３は、素子２５０１及び無線部２２０３と素子２５０２との電気的接続を開閉する。具体的には、スイッチ部２５０３は、整合回路２２０２−１により整合を行う場合にはオンし、整合回路２２０２−１により整合を行わない場合にはオフする。
【０１２９】
図２６は、整合回路２２０２−１の構成の第４の例を示すブロック図である。
【０１３０】
図２６より、整合回路２２０２−１は、素子２６０１と、素子２６０２と、スイッチ部２６０３と、スイッチ部２６０４とから構成される。素子２６０１及び素子２６０２は、インダクタまたはキャパシタである。
【０１３１】
素子２６０１は、アンテナ２２０１と無線部２２０３との間に並列に接地接続される。
【０１３２】
素子２６０２は、アンテナ２２０１と無線部２２０３との間に並列に接地接続されるとともに、素子２６０１と並列に接地接続される。
【０１３３】
スイッチ部２６０３は、アンテナ２２０１及び無線部２２０３と素子２６０１との電気的接続を開閉する。具体的には、スイッチ部２６０３は、整合回路２２０２−１により整合を行う場合にはオンし、整合回路２２０２−１により整合を行わない場合にはオフする。
【０１３４】
スイッチ部２６０４は、アンテナ２２０１及び無線部２２０３と素子２６０２との電気的接続を開閉する。具体的には、スイッチ部２６０４は、整合回路２２０２−１により整合を行う場合にはオンし、整合回路２２０２−１により整合を行わない場合にはオフする。
【０１３５】
図２７は、整合回路２２０２−１の構成の第５の例を示すブロック図である。
【０１３６】
図２７より、整合回路２２０２−１は、素子２７０１とスイッチ部２７０２とから構成される。素子２７０１は、インダクタまたはキャパシタである。
【０１３７】
素子２７０１は、アンテナ２２０１と無線部２２０３との間に並列に接地接続される。
【０１３８】
スイッチ部２７０２は、アンテナ２２０１及び無線部２２０３と素子２７０１との電気的接続を開閉する。具体的には、スイッチ部２７０２は、整合回路２２０２−１により整合を行う場合にはオンし、整合回路２２０２−１により整合を行わない場合にはオフする。以上で、携帯無線装置２２００の構成の説明を終える。
【０１３９】
なお、携帯無線装置２２００の動作は図７と同一であるとともに、従来と比較した本実施の形態の利点は図９〜図１４において説明したものと同一であるので、それらの説明を省略する。
【０１４０】
このように、本実施の形態によれば、複素共役の関係を有するように整合する整合回路を複数設けるとともに、各整合回路において整合可能な周波数を異ならせることにより、広帯域において感度良く受信することができるとともに、所望の特定の狭帯域が変化する場合において、感度良く受信することができる。また、本実施の形態によれば、広帯域において整合を取る場合において、従来よりも整合回路の数を減らすことができるので、製造コストを低減することができるとともに、携帯無線装置を小型化及び薄型化することができる。
【０１４１】
なお、本実施の形態において、アンプを設けなかったが、本実施の形態はこれに限らず、整合回路と無線部との間に直列にアンプを接続して、受信専用にすることができる。また、本実施の形態において、複数の整合回路のうち、少なくとも１つの整合回路における整合を取れる周波数を可変にしても良い。また、本実施の形態において、１つの無線システムに対応することにしたが、本実施の形態はこれに限らず、複数の無線部を設けることにより、複数の無線システムに対応させても良い。
【産業上の利用可能性】
【０１４２】
本発明にかかる携帯無線装置は、特に広帯域において整合が取れるとともに、狭帯域において整合が取れる周波数を可変にするのに好適である。
【符号の説明】
【０１４３】
１００  携帯無線装置
１０１  アンテナ
１０２  スイッチ部
１０３−１〜１０３−ｎ  整合回路
１０４  スイッチ部
１０５  無線部
【図１】
2011015345.tif 000003
【図２】
2011015345.tif 000004
【図３】
2011015345.tif 000005
【図４】
2011015345.tif 000006
【図５】
2011015345.tif 000007
【図６】
2011015345.tif 000008
【図７】
2011015345.tif 000009
【図８】
2011015345.tif 000010
【図９】
2011015345.tif 000011
【図１０】
2011015345.tif 000012
【図１１】
2011015345.tif 000013
【図１２】
2011015345.tif 000014
【図１３】
2011015345.tif 000015
【図１４】
2011015345.tif 000016
【図１５】
2011015345.tif 000017
【図１６】
2011015345.tif 000018
【図１７】
2011015345.tif 000019
【図１８】
2011015345.tif 000020
【図１９】
2011015345.tif 000021
【図２０】
2011015345.tif 000022
【図２１】
2011015345.tif 000023
【図２２】
2011015345.tif 000024
【図２３】
2011015345.tif 000025
【図２４】
2011015345.tif 000026
【図２５】
2011015345.tif 000027
【図２６】
2011015345.tif 000028
【図２７】
2011015345.tif 000029